(57)【要約】【課題】接続された二次電池の特性に応じた仕様で、その二次電池の充電をコンパクトな構成により容易に行う。【解決手段】充電制御装置は、二次電池とこの二次電池が許容する充電電流の最大値を示す許容最大充電電流値を記憶する電池充電情報記憶部とを備える電池部が接続されたことを検出したことに基づいて、電池充電情報記憶部から取り込まれた許容最大充電電流値、および外部から取り込まれた二次電池に対する定格充電電流値との比較に基づき、二次電池に対する充電電流の最大値を示す最大充電電流値を決定する。【選択図】図１０
2014093813.tif 000002
【特許請求の範囲】
【請求項１】
二次電池と前記二次電池が許容する充電電流の最大値を示す許容最大充電電流値を記憶する電池充電情報記憶部とを備える電池部が接続されたことを検出する電池検出部と、
前記電池検出部が前記電池部を検出したことに基づいて前記電池充電情報記憶部から取り込まれた前記許容最大充電電流値、および外部から取り込まれた前記二次電池に対する定格充電電流値との比較に基づき、前記二次電池に対する充電電流の最大値を示す最大充電電流値を決定する最大充電電流値決定部と、
を備えることを特徴とする充電制御装置。
【請求項２】
前記電池検出部が前記電池部を検出したことに基づいて、前記電池充電情報記憶部から前記許容最大充電電流値を取り込む電池充電情報取得部と、
前記二次電池に対する充電電流の定格値を示す定格充電電流値を記憶する装置充電情報記憶部から前記定格充電電流値を取り込む装置充電情報取得部と、
を更に備え、
前記最大充電電流値決定部は、前記電池充電情報取得部が取り込んだ前記許容最大充電電流値と前記装置充電情報取得部が取り込んだ前記定格充電電流値との比較に基づき、前記二次電池に対する前記最大充電電流値を決定する、
ことを特徴とする請求項１記載の充電制御装置。
【請求項３】
前記電池充電情報記憶部は、前記二次電池の放電容量値と前記二次電池の充電方式を示す充電方式情報とを更に記憶し、
前記電池充電情報取得部は、前記電池充電情報記憶部から前記放電容量値と前記充電方式情報とを更に取り込み、
前記最大充電電流値決定部は、前記電池充電情報取得部が取り込んだ前記充電方式情報が第１の充電方式を示す情報である場合に、前記電池充電情報取得部が取り込んだ前記放電容量値と前記許容最大充電電流値とに基づいて所定の充電電流制限値以下の電流値を決定する一方、前記充電方式情報が第２の充電方式を示す情報である場合に、前記許容最大充電電流値を前記電流値として決定し、前記電流値と前記定格充電電流値との比較に基づいて前記最大充電電流値を決定する、
ことを特徴とする請求項２記載の充電制御装置。
【請求項４】
二次電池と前記二次電池が許容する充電電流の最大値を示す許容最大充電電流値を記憶する電池充電情報記憶部とを備える電池部が接続されたことを検出する電池検出ステップと、
前記電池検出ステップにおいて前記電池部を検出したことに基づいて前記電池充電情報記憶部から取り込まれた前記許容最大充電電流値、および外部から取り込まれた前記二次電池に対する定格充電電流値との比較に基づき、前記二次電池に対する充電電流の最大値を示す最大充電電流値を決定する最大充電電流値決定ステップと、
を有することを特徴とする充電制御方法。
【請求項５】
充電制御装置のコンピュータを、
二次電池と前記二次電池が許容する充電電流の最大値を示す許容最大充電電流値を記憶する電池充電情報記憶部とを備える電池部が接続されたことを検出する電池検出部と、
前記電池検出部が前記電池部を検出したことに基づいて前記電池充電情報記憶部から取り込まれた前記許容最大充電電流値、および外部から取り込まれた前記二次電池に対する定格充電電流値との比較に基づき、前記二次電池に対する充電電流の最大値を示す最大充電電流値を決定する最大充電電流値決定部と、
として機能させるための充電制御プログラム。
【請求項６】
二次電池と前記二次電池が許容する充電電流の最大値を示す許容最大充電電流値を記憶する電池充電情報記憶部とを備える電池部が接続されたことを検出する電池検出部と、
前記二次電池に対する充電電流の定格値を示す定格充電電流値を記憶する装置充電情報記憶部と、
前記電池検出部が前記電池部を検出したことに基づいて、前記電池充電情報記憶部から前記許容最大充電電流値を取り込む電池充電情報取得部と、
前記二次電池に対する充電電流の定格値を示す定格充電電流値を記憶する装置充電情報記憶部から前記定格充電電流値を取り込む装置充電情報取得部と、
前記電池充電情報取得部が取り込んだ前記許容最大充電電流値と前記装置充電情報取得部が取り込んだ前記定格充電電流値との比較に基づき、前記二次電池に対する充電電流の最大値を示す最大充電電流値を決定する最大充電電流値決定部と、
前記最大充電電流値決定部が決定した前記最大充電電流値を記憶する最大充電電流値記憶部と、
を備えることを特徴とする電子機器。
【請求項７】
前記電池充電情報記憶部は、前記二次電池の放電容量値と前記二次電池の充電方式を示す充電方式情報とを更に記憶し、
前記電池充電情報取得部は、前記電池充電情報記憶部から前記放電容量値と前記充電方式情報とを更に取り込み、
前記最大充電電流値決定部は、前記電池充電情報取得部が取り込んだ前記充電方式情報が第１の充電方式を示す情報である場合に、前記電池充電情報取得部が取り込んだ前記放電容量値と前記許容最大充電電流値とに基づいて所定の充電電流制限値以下の電流値を決定する一方、前記充電方式情報が第２の充電方式を示す情報である場合に、前記許容最大充電電流値を前記電流値として決定し、前記電流値と前記定格充電電流値との比較に基づいて前記最大充電電流値を決定する、
ことを特徴とする請求項６記載の電子機器。
【請求項８】
外部から電力を得て、前記電力に基づき前記二次電池を充電する充電部と、
前記最大充電電流値記憶部から前記最大充電電流値を取り込み、前記二次電池に対する充電電流の電流値が前記最大充電電流値以下になるように前記充電部を制御する充電部制御部と、
を更に備えることを特徴とする請求項６または７いずれか記載の電子機器。
【発明の詳細な説明】
【技術分野】
【０００１】
本発明は、充電制御装置、充電制御方法、充電制御プログラム、および電子機器に関する。
【背景技術】
【０００２】
二次電池を搭載する携帯電話機等の電子機器は、その二次電池の充電に関する特性を示す充電制御情報を固定的に有しているため、この充電制御情報が示す特性に合致する二次電池にしか充電できない。一方、放電容量をより大きくした二次電池、急速充電に対応した二次電池等、様々な仕様の二次電池が登場していることにより、電子機器に搭載できる二次電池の幅を広げたいとの要望がある。そこで、性能が異なる複数種類の二次電池に対してそれぞれ最適な充電停止制御を行うことができる充電システムが知られている（例えば、特許文献１参照）。この充電システムは、充電制御データを充電装置に無線送信する情報装置と、充電制御データを受信しこの充電制御データにしたがって二次電池を充電する充電装置とを備えたシステムである。
【先行技術文献】
【特許文献】
【０００３】
【特許文献１】特開２００６−４２５５３号公報
【発明の概要】
【発明が解決しようとする課題】
【０００４】
しかしながら、特許文献１記載の充電システムは、外部から取り込んだ充電制御データを充電装置に送信するための情報装置および無線通信回路が必要であるため、システムの規模が大きくならざるを得ない。また、例えば、外出先で電子機器の二次電池を交換して充電する場合に、充電装置と情報装置とを無線接続して、情報装置から充電装置に充電制御データを供給し充電装置に取得させることは、煩雑な作業を伴うため容易ではない。
【０００５】
本発明は、上記事情を考慮してなされた、充電制御装置、充電制御方法、充電制御プログラム、および電子機器を提供することを目的とする。
【課題を解決するための手段】
【０００６】
［１］上記の課題を解決するため、本発明の一態様である充電制御装置は、二次電池と前記二次電池が許容する充電電流の最大値を示す許容最大充電電流値を記憶する電池充電情報記憶部とを備える電池部が接続されたことを検出する電池検出部と、前記電池検出部が前記電池部を検出したことに基づいて前記電池充電情報記憶部から取り込まれた前記許容最大充電電流値、および外部から取り込まれた前記二次電池に対する定格充電電流値との比較に基づき、前記二次電池に対する充電電流の最大値を示す最大充電電流値を決定する最大充電電流値決定部と、を備えることを特徴とする。
【０００７】
［２］上記の課題を解決するため、本発明の一態様である充電制御方法は、二次電池と前記二次電池が許容する充電電流の最大値を示す許容最大充電電流値を記憶する電池充電情報記憶部とを備える電池部が接続されたことを検出する電池検出ステップと、前記電池検出ステップにおいて前記電池部を検出したことに基づいて前記電池充電情報記憶部から取り込まれた前記許容最大充電電流値、および外部から取り込まれた前記二次電池に対する定格充電電流値との比較に基づき、前記二次電池に対する充電電流の最大値を示す最大充電電流値を決定する最大充電電流値決定ステップと、を有することを特徴とする。
【０００８】
［３］上記の課題を解決するため、本発明の一態様である充電制御プログラムは、充電制御装置のコンピュータを、二次電池と前記二次電池が許容する充電電流の最大値を示す許容最大充電電流値を記憶する電池充電情報記憶部とを備える電池部が接続されたことを検出する電池検出部と、前記電池検出部が前記電池部を検出したことに基づいて前記電池充電情報記憶部から取り込まれた前記許容最大充電電流値、および外部から取り込まれた前記二次電池に対する定格充電電流値との比較に基づき、前記二次電池に対する充電電流の最大値を示す最大充電電流値を決定する最大充電電流値決定部と、として機能させる。
【０００９】
［４］上記の課題を解決するため、本発明の一態様である電子機器は、二次電池と前記二次電池が許容する充電電流の最大値を示す許容最大充電電流値を記憶する電池充電情報記憶部とを備える電池部が接続されたことを検出する電池検出部と、前記二次電池に対する充電電流の定格値を示す定格充電電流値を記憶する装置充電情報記憶部と、前記電池検出部が前記電池部を検出したことに基づいて、前記電池充電情報記憶部から前記許容最大充電電流値を取り込む電池充電情報取得部と、前記二次電池に対する充電電流の定格値を示す定格充電電流値を記憶する装置充電情報記憶部から前記定格充電電流値を取り込む装置充電情報取得部と、前記電池充電情報取得部が取り込んだ前記許容最大充電電流値と前記装置充電情報取得部が取り込んだ前記定格充電電流値との比較に基づき、前記二次電池に対する充電電流の最大値を示す最大充電電流値を決定する最大充電電流値決定部と、前記最大充電電流値決定部が決定した前記最大充電電流値を記憶する最大充電電流値記憶部と、を備えることを特徴とする。
【発明の効果】
【００１０】
本発明によれば、複数種類の二次電池のうち接続された二次電池の特性に応じた仕様で、その二次電池の充電をコンパクトな構成により容易に行うことができる。
【図面の簡単な説明】
【００１１】
【図１】本発明の一実施形態である電子機器を適用した携帯電話機の概略の機能構成を示すブロック図である。
【図２】同実施形態において、充電制御部の機能構成を示すブロック図である。
【図３】同実施形態において、二次電池である電池Ａについての電池充電情報の例である。
【図４】同実施形態において、二次電池である電池Ｂについての電池充電情報の例である。
【図５】同実施形態において、携帯電話装置に対する装置充電情報の例である。
【図６】同実施形態において、携帯電話装置に対する装置充電情報の別の例である。
【図７】同実施形態において、携帯電話装置に対する装置充電情報の更に別の例である。
【図８】同実施形態において、電池部が接続された携帯電話機が実行する電池部接続時の処理の手順を示すフローチャートである。
【図９】同実施形態において、充電部が接続された携帯電話機が実行する充電部接続時の処理の手順を示すフローチャートである。
【図１０】本発明の実施形態である充電制御装置の基本構成を示すブロック図である。
【発明を実施するための形態】
【００１２】
以下、本発明を実施するための形態について、図面を参照して詳細に説明する。本発明の一実施形態である電子機器は、二次電池を搭載する装置である。本実施形態である電子機器は、例えば、携帯電話機、スマートフォン、ノート型ＰＣ（Ｐｅｒｓｏｎａｌ  Ｃｏｍｐｕｔｅｒ）、タブレットＰＣ、デジタルカメラ、デジタルビデオカメラ、携帯型オーディオプレーヤ、携帯型ラジオ等の携帯機器に適用される。また、本実施形態である電子機器は、例えば、充電器に適用される。以下、本実施形態である電子機器を、携帯電話機に適用した例について説明する。
【００１３】
図１は、本発明の一実施形態である電子機器を適用した携帯電話機の概略の機能構成を示すブロック図である。同図に示す携帯電話機１は、制御部１０と、無線通信部２０と、音声入力部３０と、音声出力部４０と、表示部５０と、操作受付部６０と、記憶部７０と、電池部８０と、充電部９０とを備える。
【００１４】
制御部１０は、携帯電話機１全体を制御する処理部である。制御部１０は、例えば、図示しない中央処理装置（Ｃｅｎｔｒａｌ  Ｐｒｏｃｅｓｓｉｎｇ  Ｕｎｉｔ；ＣＰＵ）およびメモリにより実現される。ＣＰＵは、メモリに記憶された制御プログラムを読み込んで実行することにより、制御部としての機能を発揮する。制御部１０は、無線通信部２０と音声入力部３０と音声出力部４０と表示部５０と操作受付部６０とを制御して連携動作させる。これにより、制御部１０と無線通信部２０と音声入力部３０と音声出力部４０と表示部５０と操作受付部６０とは、携帯電話機能を実現する。この携帯電話機能は、関連する携帯電話機の機能と同等である。
【００１５】
また、制御部１０は、充電制御部１１を備える。充電制御部１１は、記憶部７０と電池部８０と充電部９０とを制御して連携動作させる。これにより、充電制御部１１と記憶部７０と電池部８０と充電部９０とは、本実施形態独自の電池充電機能を実現する。
【００１６】
無線通信部２０は、制御部１０によって制御されることにより、携帯電話網等のネットワークを介し、相手側の通信機器（携帯電話機、スマートフォン等）との間でデータ通信を行う。具体的に、無線通信部２０は、制御部１０が供給する送信データを取り込み、この送信データを無線により送信する。この送信データには、例えば、音声入力部３０から取り込まれた入力音声データが含まれる。また、無線通信部２０は、無線により受信し取り込んだ受信データを制御部１０に供給する。この受信データには、例えば、相手側の通信機器から供給された相手側の出力音声データ等が含まれる。
【００１７】
音声入力部３０は、制御部１０によって制御されることにより、携帯電話機１の使用者（話者）の音声を取り込んでこの音声を入力音声データに変換し、この入力音声データを制御部１０に供給する。音声入力部３０は、例えばマイクロフォンにより実現される。
【００１８】
音声出力部４０は、制御部１０によって制御されることにより、制御部１０が供給する出力音声データを取り込み、この出力音声データを音声に変換して出力する。音声出力部４０は、例えばスピーカにより実現される。
【００１９】
表示部５０は、制御部１０によって制御されることにより、制御部１０が供給する表示データを取り込み、この表示データを表示する。この表示データには、例えば、制御部１０による制御情報、相手側の通信機器から供給された相手側の画像データ等が含まれる。表示部５０は、例えば液晶表示パネルにより実現される。
【００２０】
操作受付部６０は、テンキーや記号キー等の複数のキー（ボタン）を有する。操作受付部６０は、使用者によるそれら複数のキーの操作を受け付け、操作されたキーのキーコードを制御部１０に供給する。これにより、使用者は、携帯電話機１に対して指示を与えることができる。
【００２１】
電池部８０は、携帯電話機１の各部に直流の電力を供給する電力供給部である。電池部８０は、例えば、携帯電話機１に着脱可能に接続されるか、または電源ケーブルを介して接続される電池パックである。電池部８０は、二次電池８１と、電池充電情報記憶部８２と、監視部８３とを備える。
【００２２】
二次電池８１は、携帯電話機１の各部に直流の電力を供給する充電可能な電池である。二次電池８１は、例えば、一つまたは複数のリチウムイオン二次電池により実現される。
【００２３】
電池充電情報記憶部８２は、二次電池８１についての、放電容量値と、許容最大充電電流値（第１の充電時許容最大電流値）と、充電方式情報とを対応付けて含む電池充電情報を記憶する。放電容量値は、二次電池８１の公称の容量を示す値であり、電池公称容量値ともいう。許容最大充電電流値は、二次電池８１が許容する充電電流の最大値である。充電方式情報は、二次電池８１に対応する充電方式を示す情報である。充電方式は、例えば、通常充電方式（第１の充電方式）、急速充電方式（第２の充電方式）である。通常充電方式は、例えば、１Ｃまたは１Ｃ未満の電流で充電する充電方式である。１Ｃとは、二次電池の公称容量を、定電流により１時間で放電完了させることが可能な電流値である。具体的に、この通常充電方式によれば、放電容量値が１０００ｍＡｈである二次電池は、１０００ｍＡ以下の電流で充電することができる。許容最大通常充電方式を示す充電方式情報は、例えば“通常充電”であり、急速充電方式を示す充電方式情報は、例えば、“急速充電”である。電池充電情報記憶部８２は、電池充電情報を記憶した不揮発性の半導体メモリにより実現される。
【００２４】
監視部８３は、二次電池８１の状態を監視する。例えば、監視部８３は、電池部８０に電力の供給対象、つまり負荷が接続されたか否かを監視し、電池部８０に負荷が接続されたことを検出した場合に、検出信号を充電制御部１１に供給する。また、監視部８３は、例えば、二次電池８１の電圧、表面温度、過放電、過充電等のパラメータごとの状態を監視し、パラメータごとにあらかじめ設けられた基準レベルを超える状態を検出した場合に、そのパラメータと状態とを示す状態信号を充電制御部１１に供給する。監視部８３は、例えば電池監視用半導体により実現される。
【００２５】
記憶部７０は、装置充電情報記憶部７１と、最大充電電流値記憶部７２とを含んで構成される。
装置充電情報記憶部７１は、携帯電話機１に取り付けられる二次電池８１に対する充電電流の定格値を示す定格充電電流値（第２の充電時許容最大電流値）を含む装置充電情報を記憶する。定格充電電流値は、携帯電話機１の充電回路の性能および充電部９０の充電性能によって決まる電流値である。装置充電情報記憶部７１は、装置充電情報を記憶した不揮発性の半導体メモリにより実現される。
【００２６】
最大充電電流値記憶部７２は、携帯電話機１に取り付けられ充電部９０によって充電される二次電池８１に対する充電電流の最大値である最大充電電流値を記憶する。最大充電電流値記憶部７２は、電池部８０が携帯電話機１に接続されている間中、その電池部８０が有する二次電池８１に対する最大充電電流値を記憶する。最大充電電流値記憶部７２は、例えば、再書き込み可能な不揮発性の半導体メモリにより実現される。
【００２７】
充電部９０は、外部から得た電力を用いて、携帯電話機１に取り付けられた電池部８０の二次電池８１を充電する充電装置である。充電部９０は、最大充電電流値記憶部７２から最大充電電流値を読み込んだ充電制御部１１により、二次電池８１に対する充電電流の電流値が最大充電電流値以下になるように制御されて二次電池８１を充電する。
【００２８】
以上の構成において、本実施形態である充電制御装置は、充電制御部１１を含む。また、本実施形態である電子機器は、充電制御部１１と装置充電情報記憶部７１と最大充電電流値記憶部７２と二次電池８１と電池充電情報記憶部８２とを含む。または、本実施形態である電子機器は、充電部９０を更に含む。
【００２９】
図２は、充電制御部１１の機能構成を示すブロック図である。同図に示すように、充電制御部１１は、電池検出部１１１と、電池充電情報取得部１１２と、装置充電情報取得部１１３と、最大充電電流値決定部１１４と、最大充電電流値供給部１１５と、充電部制御部１１６と、電池異常検出部１１７とを備える。
【００３０】
電池検出部１１１は、電池部８０が携帯電話機１に接続されたことを検出すると、電池充電情報取得部１１２を動作させる。具体的に、電池検出部１１１は、携帯電話機１に接続された電池部８０の監視部８３が供給する検出信号を取り込むと、電池充電情報取得部１１２に対して電池充電情報取得要求信号を供給する。
【００３１】
電池充電情報取得部１１２は、電池検出部１１１が電池部８０を検出したことに基づいて、電池充電情報記憶部８２から電池充電情報を取り込む。具体的に、電池充電情報取得部１１２は、電池検出部１１１が供給する電池充電情報取得要求信号を取り込むと、電池充電情報記憶部８２から電池充電情報を読み込む。電池充電情報取得部１１２は、取り込んだ電池充電情報を最大充電電流値決定部１１４に供給する。
【００３２】
装置充電情報取得部１１３は、装置充電情報記憶部７１から装置充電情報を取り込み、この装置充電情報を最大充電電流値決定部１１４に供給する。
【００３３】
最大充電電流値決定部１１４は、電池充電情報取得部１１２が供給する電池充電情報を取り込み、装置充電情報取得部１１３が供給する装置充電情報を取り込む。そして、最大充電電流値決定部１１４は、電池充電情報に含まれる充電方式情報が通常充電方式を示す情報である場合に、電池充電情報にそれぞれ含まれる放電容量値および許容最大充電電流値に基づいて所定の充電電流制限値以下の電流値を決定する。一方、最大充電電流値決定部１１４は、当該充電方式情報が急速充電方式を示す情報である場合に、許容最大充電電流値を電流値として決定する。そして、最大充電電流値決定部１１４は、決定した電流値と装置充電情報に含まれる定格充電電流値との比較に基づいて最大充電電流値を決定する。具体的に、最大充電電流値決定部１１４は、電流値および定格充電電流値のうち小さい方である電流値を最大充電電流値として決定する。また、最大充電電流値決定部１１４は、電流値および定格充電電流値が等しい場合、電流値または定格充電電流値いずれかを最大充電電流値として決定する。そして、最大充電電流値決定部１１４は、決定した最大充電電流値を最大充電電流値供給部１１５に供給する。
【００３４】
最大充電電流値供給部１１５は、最大充電電流値決定部１１４が供給する最大充電電流値を取り込み、この最大充電電流値を最大充電電流値記憶部７２に記憶させる。
【００３５】
充電部制御部１１６は、充電部９０を制御して、充電部９０に電池部８０の二次電池８１の充電を行わせる。具体的に、充電部制御部１１６は、最大充電電流値記憶部７２から最大充電電流値を取り込み、８１二次電池に対する充電電流の電流値がその最大充電電流値以下になるように充電部９０を制御する。また、充電部制御部１１６は、例えば、充電完了を示す充電完了情報を充電部９０が供給した場合、この充電完了情報を取り込み、充電部９０に対する充電の制御を停止する。
【００３６】
また、充電部制御部１１６は、充電部９０への充電を停止させる要求を示す充電停止要求信号を電池異常検出部１１７から取り込んだ場合、充電部９０に対する充電を停止する。そして、充電部制御部１１６は、例えば、二次電池８１に異常状態が発生したこと、および二次電池８１への充電を停止したことを、表示部５０に表示させたり、音声出力部４０からアラーム音を出力させたりする。
【００３７】
電池異常検出部１１７は、監視部８３が供給する状態信号を受信した場合にこの状態信号を取り込み、この状態信号に応じた制御を行う。例えば、電池異常検出部１１７は、監視部８３から取り込んだ状態信号が示すパラメータと状態とに基づいて充電停止要求信号を生成し、この充電停止要求信号を充電部制御部１１６に供給する。
【００３８】
図３および図４は、電池部８０の電池充電情報記憶部８２が記憶する電池充電情報のデータ構成の例である。
図３は、二次電池８１である電池Ａについての電池充電情報の例である。同図に示すように、電池Ａについての電池充電情報は、放電容量値として“１０００ｍＡｈ”、充電方式情報として“通常充電”、許容最大充電電流値として“１０００ｍＡ”を含んでいる。この電池充電情報によれば、公称の容量値が１０００ｍＡｈ、許容される充電電流値の最大値が１０００ｍＡ、充電方式が通常充電方式であることから、電池Ａは、１Ｃ（１０００ｍＡ）以下の充電電流で充電可能な二次電池であることが分かる。
【００３９】
図４は、二次電池８１である電池Ｂについての電池充電情報の例である。同図に示すように、電池Ｂについての電池充電情報は、放電容量値として“１０００ｍＡｈ”、充電方式情報として“急速充電”、許容最大充電電流値として“５０００ｍＡ”を含んでいる。この電池充電情報によれば、公称の容量値が１０００ｍＡｈ、許容される充電電流値の最大値が５０００ｍＡ、充電方式が急速充電方式であることから、電池Ｂは、５Ｃ（５０００ｍＡ）以下の充電電流で充電可能な二次電池であることが分かる。
【００４０】
図５から図７は、記憶部７０の装置充電情報記憶部７１が記憶する装置充電情報のデータ構成の例である。
図５は、携帯電話装置１（本体ａとして識別）に対する装置充電情報の例である。同図に示すように、本体ａに対する装置充電情報は、定格充電電流値として“７００ｍＡ”を含んでいる。この装置充電情報によれば、本体ａが二次電池８１に供給可能な充電電流の定格値が７００ｍＡであることが分かる。
【００４１】
図６は、携帯電話装置１（本体ｂとして識別）に対する装置充電情報の例である。同図に示すように、本体ｂに対する装置充電情報は、定格充電電流値として“１５００ｍＡ”を含んでいる。この装置充電情報によれば、本体ｂが二次電池８１に供給可能な充電電流の定格値が１５００ｍＡであることが分かる。
【００４２】
図７は、携帯電話装置１（本体ｃとして識別）に対する装置充電情報の例である。同図に示すように、本体ｃに対する装置充電情報は、定格充電電流値として“７０００ｍＡ”を含んでいる。この装置充電情報によれば、本体ｃが二次電池８１に供給可能な充電電流の定格値が７０００ｍＡであることが分かる。
【００４３】
次に、本実施形態である電子機器を適用した携帯電話機１の動作について説明する。
図８は、電池部８０が接続された携帯電話機１が実行する電池部接続時の処理の手順を示すフローチャートである。電池部８０が携帯電話機１に接続されると、電池部８０は、二次電池８１から直流電力を携帯電話装置１の各部に供給する。そして、制御部１０の充電制御部１１は、同図のフローチャートによる処理の実行を開始する。
【００４４】
まず、ステップＳ１において、電池充電情報取得部１１２は、電池部８０の電池充電情報記憶部８２から電池充電情報を読み込み、この電池充電情報を最大充電電流値決定部１１４に供給する。これにより、最大充電電流値決定部１１４は、電池部８０から、二次電池８１についての、放電容量値と、許容最大充電電流値と、充電方式情報とを取り込む。
【００４５】
次に、ステップＳ２において、最大充電電流値決定部１１４は、充電方式情報を判別する。具体的に、最大充電電流値決定部１１４は、充電方式情報が通常充電方式を示す情報であるか、急速充電方式を示す情報であるかを判定する。そして、最大充電電流値決定部１１４は、充電方式情報が通常充電方式を示す情報（例えば“通常充電”）であると判定した場合はステップＳ３の処理に移し、充電方式情報が急速充電方式を示す情報（例えば“急速充電”）であると判定した場合はステップＳ４の処理に移す。
【００４６】
ステップＳ３において、最大充電電流値決定部１１４は、放電容量値および許容最大充電電流値に基づいて、所定の充電電流制限値以下の電流値を決定する。ここで、充電電流制限値は、例えば１Ｃである。そして、充電電流制限値以下の電流値は、例えば１Ｃまたは０．９Ｃである。具体的に、図３に示した電池Ａの電池充電情報の場合、１Ｃが１０００ｍＡであることにより、充電電流制限値は１０００ｍＡであり、充電電流制限値以下の電流値は、１０００ｍＡ（１Ｃの場合）または９００ｍＡ（０．９Ｃの場合）である。このステップＳ３における処理は、通常充電方式に対応した二次電池の充電において、過電流を流し込まないための安全対策の処理である。次に、ステップＳ５の処理に移す。
【００４７】
一方、ステップＳ４において、最大充電電流値決定部１１４は、許容最大充電電流値そのものを電流値として決定する。具体的に、図４に示した電池Ｂの電池充電情報の場合、許容最大充電電流値“５０００ｍＡ”を電流値として決定する。次に、ステップＳ５の処理に移す。
【００４８】
ステップＳ５において、装置充電情報取得部１１３は、記憶部７０の装置充電情報記憶部７１から装置充電情報を読み込み、この装置充電情報を最大充電電流値決定部１１４に供給する。これにより、最大充電電流値決定部１１４は、携帯電話機１の定格充電電流値を取得する。
【００４９】
次に、ステップＳ６において、最大充電電流値決定部１１４は、ステップＳ３またはステップＳ４いずれかの処理において決定した電流値と、ステップＳ５の処理において取り込んだ定格充電電流値とを比較する。そして、最大充電電流値決定部１１４は、電流値が定格充電電流値よりも大きいと判定した場合、ステップＳ７の処理に移す。一方、最大充電電流値決定部１１４は、電流値が定格充電電流値以下であると判定した場合、ステップＳ８の処理に移す。
【００５０】
ステップＳ７において、最大充電電流値決定部１１４は、電流値および定格充電電流値のうち小さい方である定格充電電流値を最大充電電流値として決定する。次に、ステップＳ９に移す。
【００５１】
一方、ステップＳ８において、最大充電電流値決定部１１４は、電流値および定格充電電流値のうち小さい方である電流値を最大充電電流値として決定する。また、最大充電電流値決定部１１４は、電流値および定格充電電流値が等しい場合、電流値または定格充電電流値いずれかを最大充電電流値として決定する。次に、ステップＳ９に移す。
【００５２】
ここで、最大充電電流値決定部１１４が上記のステップＳ６からステップＳ８までの処理を実行することによって電池充電情報および装置充電情報から得る最大充電電流値について、具体的に説明する。図３および図４に示した電池充電情報と、図５から図７に示した装置充電情報との各組み合わせに基づいて最大充電電流値決定部１１４が得る最大充電電流値を、下記の表１にまとめる。同表は、通常充電方式対応の電池Ａにおける充電電流制限値を１Ｃとし、充電電流制限値以下の電流値を１Ｃ（つまり、電流値は１０００ｍＡ）とした場合の例である。
【００５３】
【表１】
2014093813.tif 000003
【００５４】
表１に示すとおり、最大充電電流値決定部１１４は、装置充電情報から得る定格充電電流値と、電池充電情報に基づいて得る電流値（急速充電の場合は許容最大充電電流値、通常充電の場合は充電電流制限値以下の電流値）とのうち、小さい値の方を最大充電電流値として決定する。つまり、最大充電電流値決定部１１４は、電力の供給側（充電部９０を接続した携帯電話機１）と、当該電力の受給側（二次電池８１）とにおいて、実際に動作可能な最大の電流値を求めている。
【００５５】
ステップＳ９において、最大充電電流値決定部１１４は、ステップＳ７またはステップＳ８いずれかの処理において決定した最大充電電流値を最大充電電流値供給部１１５に供給する。次に、最大充電電流値供給部１１５は、最大充電電流値決定部１１４が供給する最大充電電流値を取り込み、この最大充電電流値を最大充電電流値記憶部７２に記憶させる。そして、充電制御部１１は、本フローチャートによる処理を終了させる。
【００５６】
図９は、充電部９０が接続された携帯電話機１が実行する充電部接続時の処理の手順を示すフローチャートである。電池部８０が接続された携帯電話機１に充電部９０が接続されると、制御部１０の充電制御部１１は、同図のフローチャートによる処理の実行を開始する。
【００５７】
まず、ステップＳ２１において、充電部制御部１１６は、最大充電電流値記憶部７２から最大充電電流値を読み込む。
【００５８】
次に、ステップＳ２２において、充電部制御部１１６は、電池部８０の二次電池８１に対する充電電流の電流値がその最大充電電流値以下になるように充電部９０を制御する。一方、充電部９０は、充電部制御部１１６による前記の制御にしたがい、最大充電電流値以下の充電電流により二次電池８１を充電する。そして、充電部９０は、二次電池８１に対する充電が完了すると、例えば、充電完了情報を充電部制御部１１６に供給する。充電部制御部１１６は、充電部９０が供給する充電完了情報を取り込むと、充電部９０に対する充電の制御を停止し、本フローチャートによる処理を終了させる。
【００５９】
以上説明したとおり、本実施形態における携帯電話機１は、取り付けおよび取り外し可能な電池部８０が取り付けられた状態で、電池部８０から直流の電力の供給を受けて動作する装置である。電池部８０は、二次電池８１と、二次電池８１の放電容量値と充電方式情報と許容最大充電電流値とを含む電池充電情報を記憶する電池充電情報記憶部８２とを備える。また、携帯電話機１は、取り付けられる二次電池に対する定格充電電流値を含む装置充電情報を記憶する装置充電情報記憶部７２を備える。また、携帯電話機１は、充電制御部１１を備える。
【００６０】
充電制御部１１は、電池部８０が接続されたことを検出する電池検出部１１１を備える。また、充電制御部１１は、電池検出部１１１が電池部８０を検出したことに基づいて、電池充電情報記憶部８２から電池充電情報を取り込む電池充電情報取得部１１２と、装置充電情報記憶部７１から装置充電情報を取り込む装置充電情報取得部１１３とを備える。また、充電制御部１１１は、充電部９０に対する最大充電電流値を決定する最大充電電流値決定部１１４を備える。
【００６１】
最大充電電流値決定部１１４は、電池充電情報に含まれる充電方式情報が通常充電方式を示す情報である場合に、当該電池充電情報にそれぞれ含まれる放電容量値および許容最大充電電流値に基づいて所定の充電電流制限値以下の電流値を決定する。また、最大充電電流値決定部１１４は、充電方式情報が急速充電方式を示す情報である場合に、許容最大充電電流値を電流値として決定し、その電流値と装置充電情報に含まれる定格充電電流値との比較に基づき、電流値および定格充電電流値のうち小さい方（等しい場合はいずれでもよい）を、最大充電電流値として決定する。
【００６２】
また、携帯電話機１は、最大充電電流値決定部１１４が決定した最大充電電流値を記憶する最大充電電流値記憶部７２を備える。また、携帯電話機１は、外部から電力を得て、この電力に基づき二次電池８１を充電する充電部９０を備える。これに対応して、充電制御部１１は、最大充電電流値記憶部７２から最大充電電流値を読み込み、二次電池８１に対する充電電流の電流値が最大充電電流値以下になるように充電部９０を制御する充電部制御部１１６を備える。
【００６３】
このように構成したことにより、本実施形態における携帯電話機１は、取り付けられた電池部８０から取得する電池充電情報と、携帯電話機１が有する装置充電情報とに基づいて、充電電流の供給側である充電部９０と受給側である二次電池８１との特性を合致させることができる。つまり、本実施形態によれば、携帯電話機１は、複数種類の電池部のうち取り付けられた電池部８０と自機とにおいて、適切な充電設定をコンパクトな構成により自動で行うことができる。よって、本実施形態によれば、充電に対する安全性と充電時間短縮の利便性とのバランスがとれた、コンパクトな充電システムを実現することができる。
【００６４】
また、電池部８０が携帯電話機１に取り付けられると、充電制御部１１は電池部８０との間で充電に関する設定の通信を行って最大充電電流値を決定し、この最大充電電流値を最大充電電流値記憶部７２に記憶させる。これにより、電池部８０が取り付けられている状態では、常に最適な充電に関する設定が維持される。
【００６５】
したがって、本実施形態によれば、携帯電話機１は、複数種類の二次電池のうち接続された二次電池８１の特性に応じた仕様で、二次電池８１の充電をコンパクトな構成により容易に行うことができる。
【００６６】
なお、本実施形態における携帯電話機１による電池部接続時の処理におけるステップＳ３の処理において、最大充電電流値決定部１１４は、許容最大充電電流値そのものを電流値として決定してもよい。つまり、通常充電方式に対応した二次電池の充電において、過電流を流し込まないための安全対策の処理を省略してもよい。具体的に、最大充電電流値決定部１１４は、許容最大充電電流値と定格充電電流値との比較に基づき、許容最大充電電流値および定格充電電流値電流値のうち小さい方（等しい場合はいずれでもよい）を、二次電池８１に対する最大充電電流値として決定してもよい。
【００６７】
つまり、以上の説明をまとめると、図１０に示すとおり、本実施形態である充電制御装置１１０は、電池検出部１１１と、最大充電電流値決定部１１４とを備えるものである。電池検出部１１１は、二次電池８１と二次電池８１の許容最大充電電流値を記憶する電池充電情報記憶部８２とを備える電池部８０が接続されたことを検出する。また、最大充電電流値決定部１１４は、電池検出部１１１が電池部８０を検出したことに基づいて電池充電情報記憶部８２から取り込まれた許容最大充電電流値、および外部から取り込まれた二次電池８１に対する定格充電電流値との比較に基づき、二次電池８１に対する最大充電電流値を決定する。
【００６８】
以上、本発明の実施の形態について図面を参照して詳述したが、具体的な構成はその実施形態に限られるものではなく、本発明の要旨を逸脱しない範囲の設計等も含まれる。
【符号の説明】
【００６９】
１  携帯電話機
１０  制御部
１１  充電制御部
２０  無線通信部
３０  音声入力部
４０  音声出力部
５０  表示部
６０  操作受付部
７０  記憶部
７１  装置充電情報記憶部
７２  最大充電電流記憶部
８０  電池部
８１  二次電池
８２  電池充電情報記憶部
８３  監視部
９０  充電部
１１１  電池検出部
１１２  電池充電情報取得部
１１３  装置充電情報取得部
１１４  最大充電電流値決定部
１１５  最大充電電流値供給部
１１６  充電部制御部
１１７  電池異常検出部
【図１】
2014093813.tif 000004
【図２】
2014093813.tif 000005
【図３】
2014093813.tif 000006
【図４】
2014093813.tif 000007
【図５】
2014093813.tif 000008
【図６】
2014093813.tif 000009
【図７】
2014093813.tif 000010
【図８】
2014093813.tif 000011
【図９】
2014093813.tif 000012
【図１０】
2014093813.tif 000013